(57)【要約】【課題】携帯電話事業者に拠らずに携帯電話機を内線電話機として使用することを可能にする。【解決手段】第１の電話網と第２の電話網とがゲートウェイ装置を介して接続された電話網における前記第２の電話網に備えられる呼制御システムにおいて、前記第１の電話網に接続される電話端末に対し、前記第２の電話網用の電話番号及び内線番号が割り当てられ、前記呼制御システムは、前記第１の電話網用の電話番号と、前記第２の電話網用の電話番号とを対応付けて格納する手段と、前記第２の電話網用の電話番号と内線番号とを対応付けて格納する手段とを備え、着番号として内線番号を有する呼接続信号を受信し、当該呼接続信号における前記内線番号を前記第２の電話網用の電話番号に変換し、当該第２の電話網用の電話番号を、前記第１の電話網用の電話番号に変換し、着番号が変換された呼接続信号を前記ゲートウェイ装置に転送する。【選択図】図１
2010183199.tif 000002
【特許請求の範囲】
【請求項１】
第１の電話網と第２の電話網とがゲートウェイ装置を介して相互接続された電話網における前記第２の電話網に備えられる呼制御システムであって、
前記第１の電話網に接続されて内線電話機として使用される電話端末に対し、前記第１の電話網用の電話番号に加えて、前記第２の電話網用の電話番号及び内線番号が割り当てられており、前記呼制御システムは、
前記第１の電話網に接続される電話端末に割り当てられた前記第１の電話網用の電話番号と、前記第２の電話網用の電話番号とを対応付けて格納する網間電話番号格納手段と、
前記第２の電話網用の電話番号と内線番号とを対応付けて格納する内線番号格納手段と、
着番号として内線番号を有する呼接続信号を受信した場合に、前記内線番号格納手段を参照することにより、当該呼接続信号における前記内線番号を当該内線番号に対応する前記第２の電話網用の電話番号に変換する内線番号変換手段と、
前記網間電話番号格納手段を参照することにより、前記内線番号変換手段により着番号が変換された前記呼接続信号における前記第２の電話網用の電話番号を、当該電話番号に対応する前記第１の電話網用の電話番号に変換する網間番号変換手段と、
前記網間番号変換手段により着番号が変換された前記呼接続信号を前記ゲートウェイ装置に転送する転送手段と、
を備えることを特徴とする呼制御システム。
【請求項２】
前記内線番号変換手段は、前記第２の電話網に接続されて内線電話機として用いられる電話端末の前記第２の電話網用の電話番号と内線番号とを対応付けて更に格納しており、
前記内線番号変換手段により着番号が変換された前記呼接続信号における前記第２の電話網用の電話番号が前記第２の電話網に接続された電話端末の電話番号である場合に、当該呼接続信号を当該電話端末に転送し、前記第２の電話網用の電話番号が前記第２の電話網に接続された電話端末の電話番号でない場合に当該呼接続信号を前記網間番号変換手段に転送する手段を更に備えることを特徴とする請求項１に記載の呼制御システム。
【請求項３】
前記第２の電話網には、複数事業者の電話網が前記第１の電話網として各事業者に対応する複数のゲートウェイ装置を介して接続されており、
前記転送手段は、前記呼接続信号に含まれる着番号に対応する事業者のゲートウェイ装置を識別し、当該ゲートウェイ装置に前記呼接続信号を転送する手段を備えることを特徴とする請求項１又は２に記載の呼制御システム。
【請求項４】
前記第１の電話網は携帯電話網であり、前記第２の電話網はIP電話網であることを特徴とする請求項１ないし３のうちいずれか１項に記載の呼制御システム。
【請求項５】
第１の電話網と第２の電話網とがゲートウェイ装置を介して相互接続された電話網における内線電話接続方法であって、
前記第１の電話網に接続されて内線電話機として使用される電話端末に対し、前記第１の電話網用の電話番号に加えて、前記第２の電話網用の電話番号及び内線番号が割り当てられており、更に、
前記第１の電話網に接続される電話端末に割り当てられた前記第１の電話網用の電話番号と、前記第２の電話網用の電話番号とを対応付けて格納する網間電話番号格納手段と、前記第２の電話網用の電話番号と内線番号とを対応付けて格納する内線番号格納手段とが前記第２の電話網に備えられ、前記内線電話接続方法は、
前記第２の電話網に備えられた内線番号変換手段が、着番号として内線番号を有する呼接続信号を受信した場合に、前記内線番号格納手段を参照することにより、当該呼接続信号における前記内線番号を当該内線番号に対応する前記第２の電話網用の電話番号に変換する内線番号変換ステップと、
前記第２の電話網に備えられた網間番号変換手段が、前記網間電話番号格納手段を参照することにより、前記内線番号変換手段により着番号が変換された前記呼接続信号における前記第２の電話網用の電話番号を、当該電話番号に対応する前記第１の電話網用の電話番号に変換する網間番号変換ステップと、
前記第２の電話網に備えられた転送手段が、前記網間番号変換手段により着番号が変換された前記呼接続信号を前記ゲートウェイ装置に転送する転送ステップと、
前記ゲートウェイ装置が前記呼接続信号を前記第１の電話網に送出し、前記第１の電話網用の着番号に対応する電話端末と当該呼接続信号の送信元電話端末との間の電話通信路を確立する通信路確立ステップと、
を備えることを特徴とする内線電話接続方法。
【請求項６】
前記第２の電話網には、複数事業者の電話網が前記第１の電話網として各事業者に対応する複数のゲートウェイ装置を介して接続されており、
前記内線番号変換ステップにおいて、前記内線番号変換手段は、第１の事業者に対応するゲートウェイ装置から前記呼接続信号を受信し、
前記転送ステップにおいて、前記転送手段は、前記呼接続信号に含まれる着番号に対応する第２の事業者に対応するゲートウェイ装置を識別し、当該ゲートウェイ装置に前記呼接続信号を転送し、
前記通信路確立ステップにおいて、前記第２の事業者に対応するゲートウェイ装置が前記呼接続信号を前記第２の事業者の電話網に送出し、前記着番号に対応する当該第２の事業者の電話網に接続された電話端末と、当該呼接続信号の送信元である前記第１の事業者の電話網に接続された電話端末との間で電話通信路を確立する請求項５に記載の内線電話接続方法。
【請求項７】
コンピュータを、第１の電話網と第２の電話網とがゲートウェイ装置を介して相互接続された電話網における前記第２の電話網に備えられる呼制御システムとして機能させるためのプログラムであって、
前記第１の電話網に接続されて内線電話機として使用される電話端末に対し、前記第１の電話網用の電話番号に加えて、前記第２の電話網用の電話番号及び内線番号が割り当てられており、更に、前記第２の電話網には、前記第１の電話網に接続される電話端末に割り当てられた前記第１の電話網用の電話番号と、前記第２の電話網用の電話番号とを対応付けて格納する網間電話番号格納手段と、前記第２の電話網用の電話番号と内線番号とを対応付けて格納する内線番号格納手段とが備えられ、前記プログラムは前記コンピュータを、
着番号として内線番号を有する呼接続信号を受信した場合に、前記内線番号格納手段を参照することにより、当該呼接続信号における前記内線番号を当該内線番号に対応する前記第２の電話網用の電話番号に変換する内線番号変換手段、
前記網間電話番号格納手段を参照することにより、前記内線番号変換手段により着番号が変換された前記呼接続信号における前記第２の電話網用の電話番号を、当該電話番号に対応する前記第１の電話網用の電話番号に変換する網間番号変換手段、
前記網間番号変換手段により着番号が変換された前記呼接続信号を前記ゲートウェイ装置に転送する転送手段、
として機能させることを特徴とするプログラム。
【発明の詳細な説明】
【技術分野】
【０００１】
本発明は、携帯電話網を介して通話を行うための一般的な携帯電話機を内線電話機として使用するための技術に関するものである。
【背景技術】
【０００２】
携帯電話機を内線電話機としても使用可能にするサービスが各携帯電話事業者から提供されている。
【０００３】
携帯電話機を内線電話機としても使用するための技術としては、例えば、携帯電話網内に無線ＩＰ電話網を構築し、当該無線ＩＰ電話網内で携帯電話機を用いて内線通話を行う技術や、構内に小型の無線基地局及び交換機を設置して内線通話を実現する技術がある。また、公衆の携帯電話網内に携帯電話番号と内線番号間の変換機能を設けることにより、構内に交換機等を設置することなく携帯電話機を用いた内線通話を可能にする技術もある。なお、本願に関連する従来技術として特許文献１に記載された技術がある。
【先行技術文献】
【特許文献】
【０００４】
【特許文献１】特開平８−１７２６７３号公報
【発明の概要】
【発明が解決しようとする課題】
【０００５】
しかしながら、携帯電話事業者間ではサービス提供方式に違いがあるため、ある携帯電話事業者の携帯電話機と別の携帯電話事業者の携帯電話機との間で内線通話を行うことはできない。また、各携帯電話事業者が携帯電話網内に携帯電話番号と内線番号間の変換機能を設ける方式を採用したとしても、当該変換機能は各携帯電話網内に閉じたものなので、異なる携帯電話事業者の携帯電話機間で内線通話を行うことはできない。
【０００６】
このような問題があることから、例えば、ある部署Ｘで携帯電話事業者Ａ社の内線サービスを利用し、別の部署Ｙで携帯電話事業者Ｂ社の内線サービスを利用している場合、部署Ｘと部署Ｙ間では携帯電話機を利用した内線通話を行うことはできず利便性が低かった。
【０００７】
本発明は上記の点に鑑みてなされたものであり、契約している携帯電話事業者に拠らずに携帯電話機を内線電話機として使用することを可能にする技術を提供することを目的とする。
【課題を解決するための手段】
【０００８】
上記の課題を解決するために、本発明は、第１の電話網と第２の電話網とがゲートウェイ装置を介して相互接続された電話網における前記第２の電話網に備えられる呼制御システムであって、前記第１の電話網に接続されて内線電話機として使用される電話端末に対し、前記第１の電話網用の電話番号に加えて、前記第２の電話網用の電話番号及び内線番号が割り当てられており、前記呼制御システムは、前記第１の電話網に接続される電話端末に割り当てられた前記第１の電話網用の電話番号と、前記第２の電話網用の電話番号とを対応付けて格納する網間電話番号格納手段と、前記第２の電話網用の電話番号と内線番号とを対応付けて格納する内線番号格納手段と、着番号として内線番号を有する呼接続信号を受信した場合に、前記内線番号格納手段を参照することにより、当該呼接続信号における前記内線番号を当該内線番号に対応する前記第２の電話網用の電話番号に変換する内線番号変換手段と、前記網間電話番号格納手段を参照することにより、前記内線番号変換手段により着番号が変換された前記呼接続信号における前記第２の電話網用の電話番号を、当該電話番号に対応する前記第１の電話網用の電話番号に変換する網間番号変換手段と、前記網間番号変換手段により着番号が変換された前記呼接続信号を前記ゲートウェイ装置に転送する転送手段と、を備えることを特徴とする呼制御システムとして構成される。
【０００９】
また、上記呼制御システムにおいて、前記内線番号変換手段は、前記第２の電話網に接続されて内線電話機として用いられる電話端末の前記第２の電話網用の電話番号と内線番号とを対応付けて更に格納しており、前記内線番号変換手段により着番号が変換された前記呼接続信号における前記第２の電話網用の電話番号が前記第２の電話網に接続された電話端末の電話番号である場合に、当該呼接続信号を当該電話端末に転送し、前記第２の電話網用の電話番号が前記第２の電話網に接続された電話端末の電話番号でない場合に当該呼接続信号を前記網間番号変換手段に転送する手段を更に備えることとしてもよい。
【００１０】
また、上記呼制御システムにおいて、前記第２の電話網には、複数事業者の電話網が前記第１の電話網として各事業者に対応する複数のゲートウェイ装置を介して接続されており、前記転送手段は、前記呼接続信号に含まれる着番号に対応する事業者のゲートウェイ装置を識別し、当該ゲートウェイ装置に前記呼接続信号を転送する手段を備えることとしてもよい。
【００１１】
前記第１の電話網は例えば携帯電話網であり、前記第２の電話網は例えばIP電話網である。
【発明の効果】
【００１２】
本発明によれば、前記第１の電話網として携帯電話網を適用することにより、契約している携帯電話事業者に拠らずに携帯電話機を内線電話機として使用する技術が実現される。
【図面の簡単な説明】
【００１３】
【図１】本発明の実施の形態に係る電話網の構成図である。
【図２】網間番号変換装置５の機能構成図である。
【図３】番号情報格納部５４に格納されているテーブル情報の例を示す図である。
【図４】ルーチング情報格納部５５に格納されているテーブル情報の例を示す図である。
【図５】呼制御装置６の機能構成図である。
【図６】内線番号情報格納部６４に格納されているテーブル情報の例を示す図である。
【図７】内線番号情報格納部６４に格納されているテーブル情報の例を示す図である。
【図８】ルーチング情報格納部６５に格納されているテーブル情報の例を示す図である。
【図９】本発明の実施の形態に係るシステムの動作例を示すシーケンスチャートである。
【図１０】本発明の実施の形態に係るシステムの動作例を示すシーケンスチャートである。
【図１１】本発明の実施の形態に係るシステムの動作例を示すシーケンスチャートである。
【発明を実施するための形態】
【００１４】
以下、図面を参照して本発明の実施の形態について説明する。以下、相互接続される第１の電話網と第２の電話網の例として携帯電話網とIP電話網を取り上げて説明するが、本発明は携帯電話網とIP電話網を相互接続した電話網に限らず適用できるものである。
【００１５】
（システム構成）
図１に、本発明の実施の形態に係る電話網の構成図を示す。図１に示すように、本実施の形態に係る電話網は、各携帯電話事業者の携帯電話網１とＩＰ電話網２とがゲートウェイ装置３（図ではGWと表記）を介して接続された構成をとる。図１に示すように、ゲートウェイ装置３は各携帯電話事業者に対応して備えられるものである。
【００１６】
各携帯電話網１は交換装置４を含み、ＩＰ電話網２は網間番号変換装置５及び呼制御装置６を含む。
【００１７】
本実施の形態に係る電話網において、ＩＰ電話網２に接続されるIP電話端末にはＩＰ電話番号（本実施の形態では０５０番号とする）が割り振られ、各携帯電話網１に接続される携帯電話機には携帯電話番号（本実施の形態では０９０番号とする）が割り振られている。また、本実施の形態では、網内部で使用される番号として、内線電話機としても使用する携帯電話機にＩＰ電話番号（０５０番号）が割り振られている。更に、内線電話機としても使用するIP電話端末と携帯電話機には内線番号が割り振られている。
【００１８】
以下の説明において、各端末、端末に対応する電話番号等を末尾の英文字で識別するものとする。例えば、携帯電話機Aの０９０番号、０５０番号、内線番号は、それぞれ０９０-A、０５０-A、内線番号Aと表記される。
【００１９】
各携帯電話網１の交換装置４は、通常のルーチング機能に加えて、着番号が内線番号で指定されている呼接続信号を受信した場合に、当該呼接続信号をゲートウェイ装置３に転送する機能を有する。発信の際に内線番号に特番を付加し、その特番に基づきゲートウェイ装置３への転送を行ってもよい。呼接続信号とは、音声通話路を確立するための信号である。
【００２０】
ゲートウェイ装置３は、携帯電話網１用の呼接続信号等の呼制御信号とＩＰ電話網２用の呼制御信号とを相互に変換する機能と、携帯電話網１を流れる音声とＩＰ電話網２内を流れる音声パケットとを相互に変換する機能とを有する。以下、特に説明はしないが、ゲートウェイ装置３では、呼制御信号（呼接続信号等）の変換、音声メディアの変換が行われているものとする。呼制御信号の変換機能と音声メディアの変換機能は物理的に離れていてもよい。
【００２１】
網間番号変換装置５は、呼接続信号において着番号として含むＩＰ電話番号（０５０番号）を携帯電話番号（０９０番号）に変換したり、発番号として含む携帯電話番号（０９０番号）をＩＰ電話番号（０５０番号）に変換する機能、及び番号変換を行った呼接続信号を適切な転送先に転送するルーチング機能を有する装置である。網間番号変換装置５は、IP電話網２での電話番号と携帯電話網１での電話番号との間の番号変換を行うことから網間番号変換装置と呼んでいる。なお、網間番号変換装置５を独立した装置として備える代わりに、網間番号変換装置５の機能をゲートウェイ装置３内に備えることとしてもよい。
【００２２】
呼制御装置６は、ＩＰ電話網２において呼接続制御を行うための装置であり、着番号に基づき呼接続信号をＩＰ電話端末や他の呼制御装置等に転送する一般的なルーチング機能に加えて、０５０番号と内線番号とを対応付ける対応表を備え、内線番号に基づき呼接続信号の転送を行う機能も有している。
【００２３】
本実施の形態において、IP電話網２における呼接続制御はSIPに基づいて行われており、網間番号変換装置５と呼制御装置６はともにSIPに基づき呼制御信号の送受信を行うSIPサーバの機能を有している。
【００２４】
図２に、網間番号変換装置５の機能構成図を示す。図２に示すように、網間番号変換装置５は、信号送受信部５１、網間番号変換部５２、ルーチング機能部５３、番号情報格納部５４、ルーチング情報格納部５５を有する。
【００２５】
信号送受信部５１は、呼接続信号等の呼制御信号をIP電話網２を介して送受信するための機能部である。網間番号変換部５２は、番号情報格納部５４を参照することにより、呼接続信号内の発番号が０９０番号である場合に、それを対応する０５０番号に変換し、着番号が０５０番号である場合に、それを対応する０９０番号に変換する機能を有する。ルーチング機能部５３は、ルーチング情報格納部５５を参照することにより、呼接続信号等の呼制御信号を適切な転送先に転送する機能を有する。
【００２６】
図３に、番号情報格納部５４に格納されているテーブル情報の例を示す。図３に示すように、番号情報格納部５４には、携帯電話番号とIP電話番号とが対応付けて格納されている。図４に、ルーチング情報格納部５５に格納されているテーブル情報の例を示す。図４に示すように、ルーチング情報格納部５５には、着番号と、その着番号に対応して呼制御信号を転送する転送先（IPアドレス等）とが対応付けて格納されている。図４において、例えば、呼接続信号における着番号が内線番号であれば、当該呼接続信号を呼制御装置６に転送し、着番号が０９０の所定の番号帯に含まれる番号である場合には、それに対応する事業者のゲートウェイ装置に転送することが示されている。例えば、内線番号は、その冒頭の数字として０５０及び０９０等以外の数字を割り当てた番号であるから、内線番号として容易に識別可能である。
【００２７】
図５に、呼制御装置６の機能構成図を示す。図５に示すように、呼制御装置６は、信号送受信部６１、内線番号変換部６２、ルーチング機能部６３、内線番号情報格納部６４、ルーチング情報格納部６５を有する。
【００２８】
もちろん、呼制御装置６は、IP電話網２内で呼制御・呼管理を行うための図示しない従来技術に係る機能も含む。図５は、本発明の実施の形態に関わる部分を主に示すものである。また、各携帯電話網１、ＩＰ電話網２、ゲートウェイ装置３等においてもその機能を実現するために図示しない従来技術に係る機能を含むことはいうまでもない。
【００２９】
信号送受信部６１は、呼接続信号等の呼制御信号をIP電話網２を介して送受信するための機能部である。内線番号変換部６２は、内線番号情報格納部５４を参照することにより、呼接続信号内の着番号が内線番号である場合に、それを対応する０５０番号に変換する機能、及び呼接続信号内の発番号が０５０番号である場合に、それを対応する内線番号に変換する機能を有する。ルーチング機能部６３は、ルーチング情報格納部６５を参照することにより、呼接続信号等の呼制御信号を適切な転送先に転送する機能を有する。
【００３０】
図６に、内線番号情報格納部６４に格納されているテーブル情報の例を示す。図６に示すように、内線番号情報格納部６４には、IP電話番号と内線電話番号とが対応付けて格納されている。
【００３１】
図７（ａ）に示すように内線番号情報格納部６４に格納するテーブル情報は、内線システムを形成するグループ毎に備えてもよい。その場合、図７（ｂ）に示すように、内線システムに含まれる端末（ＩＰ電話端末、携帯電話機を含む）に割り振られている０５０番号とグループ識別情報との対応表が内線番号情報格納部６４に格納される。内線番号変換部６２は、呼接続信号に含まれる０５０番号（着番号又は発番号）に対応するグループを図７（ｂ）に示す対応表を参照することにより識別し、そのグループに対応する図７（ａ）に示すテーブル情報を用いることになる。このようにすることにより、グループ間で重複した内線番号があってもそれを識別できる。
【００３２】
図８に、ルーチング情報格納部６５に格納されているテーブル情報の例を示す。図８に示すように、ルーチング情報格納部５５には、着番号と、その着番号に対応して呼制御信号を転送する転送先（IPアドレス等）とが対応付けて格納されている。図８の例では、宛先電話端末が特定できないその他の０５０番号を着番号に持つ呼接続信号を網間番号変換装置５に転送することを示している。
【００３３】
なお、本実施の形態では、網間番号変換装置５と呼制御装置６とを別々の装置としているが、呼制御装置６内に網間番号変換装置５の網間番号変換部５２及びルーチング機能部５３に相当する機能を含め、呼制御装置６を呼制御システムとして実現してもよい。
【００３４】
その場合、当該呼制御システムは、着番号として内線番号を有する呼接続信号を受信した場合に、内線番号格納部６４を参照することにより、当該呼接続信号における前記内線番号を当該内線番号に対応するIP電話番号に変換する内線番号変換手段、番号情報格納部５４を参照することにより、前記呼接続信号におけるIP電話番号を、当該IP電話番号に対応する携帯電話番号に変換する網間番号変換手段、着番号が変換された当該呼接続信号をゲートウェイ装置３に転送する転送手段とを少なくとも備える装置として実現される。
【００３５】
この装置は、コンピュータに上記呼制御システムに対応する機能を持つプログラムを実行させることにより実現できる。当該プログラムは、メモリ等の記録媒体からコンピュータにインストールしてもよいし、インターネット上のサーバからダウンロードしてインストールしてもよい。
【００３６】
また、本実施の形態に係る構成の網間番号変換装置５と呼制御装置６についてもそれぞれコンピュータに当該装置に対応する機能を持つプログラムを実行させることにより実現できる。当該プログラムは、メモリ等の記録媒体からコンピュータにインストールしてもよいし、インターネット上のサーバからダウンロードしてインストールしてもよい。
【００３７】
（システムの動作）
次に、図９〜図１１のシーケンスチャートを参照して本発明の実施の形態に係るシステムの動作例について説明する。以下で説明する例では、図３、図４、図６、図８に示したテーブル情報が用いられる。
【００３８】
本実施の形態に係る技術を用いることにより、携帯電話機間の内線通話のみならず、携帯電話機とIP電話端末間での内線通話も可能になる。そこで、以下では、携帯電話機からＩＰ電話端末に接続する場合、IP電話端末から携帯電話機に接続する場合、携帯電話機から別の携帯電話機に接続する場合の３つの場合について動作を説明する。
【００３９】
＜携帯電話機ＡからＩＰ電話端末Zに接続する場合の動作＞
まず、携帯電話機AからIP電話端末Zに接続する場合の動作について図９を参照して説明する。
【００４０】
番号が０９０-Aである携帯電話機Aにおいて着番号として内線番号Ｚがダイヤルされることにより、発番号として０９０-Aを含み着番号として内線番号Zを含む呼接続信号が携帯電話機Aから発出される（ステップ１）。
【００４１】
呼接続信号は、携帯電話網１内で転送されてゲートウェイ装置３に届く。ゲートウェイ装置３は、呼接続信号を網間番号変換装置５に転送する（ステップ２）。
【００４２】
呼接続信号を受信した網間番号変換装置５では、網間番号変換部５２が番号情報格納部５４（図３）を参照することにより、呼接続信号における発番号を０９０-Aから０５０-Aに変換する（ステップ３）。そして、ルーチング機能部５３がルーチング情報格納部５５（図４）を参照することにより、着番号として内線番号Zを持つ呼接続信号を呼制御装置６に転送する（ステップ４）。
【００４３】
呼接続信号を受信した呼制御装置６では、内線番号変換部６２が内線番号情報格納部６４（図６）を参照することにより、呼接続信号の着番号を内線番号Zから０５０-Zに変換するとともに、発番号を０５０-Aから内線番号Aに変換する（ステップ５）。
【００４４】
そして、ルーチング機能部６３が、ルーチング情報格納部６５（図８）を参照することにより、着番号が０５０-Zに対応する転送先であるIP電話端末Zに呼接続信号を転送する（ステップ６）。呼接続信号を受信したIP電話端末Zではベルが鳴動して利用者の呼び出しが行われ、利用者がオフフックすることにより応答が返される（ステップ７）。これにより通話路が形成され、当該通話路を介して携帯電話機AとIP電話端末Zとの間で音声通話がなされる（ステップ８）。なお、ステップ５で、呼接続信号の着番号として０５０-Zに加えて内線番号Zを付加しておいてもよい。これにより、ステップ６で内線番号ZがIP電話端末Zに伝達され、IP電話端末Zは内線での着呼であることを識別でき、外線着呼の場合の鳴動音と異なる鳴動音を発生させることができる。
【００４５】
また、接続方式は上記の方式に限られない。呼接続信号により、最終的に携帯電話機AとIP電話端末Zとの間で音声通話を行うための通話路が確立されればどのような接続方式を用いてもよい。他の動作例でも同様である。
【００４６】
＜IP電話端末Zから携帯電話機Aに接続する場合の動作＞
次に、IP電話端末Zから携帯電話機Aに接続する場合のシステムの動作を図１０を参照して説明する。
【００４７】
電話番号が０５０-ZであるIP電話端末Zにおいて着番号として内線番号Aがダイヤルされることにより、発番号として０５０-Zを含み着番号として内線番号Aを含む呼接続信号がIP電話端末Zから発出される（ステップ１１）。呼接続信号は呼制御装置６に送られる。
【００４８】
呼接続信号を受信した呼制御装置６では、内線番号変換部６２が、内線番号情報格納部６４（図６）を参照し、呼接続信号における着番号を内線番号Aから０５０-Aに変換するとともに、発番号である０５０-Zをそれに対応する内線番号Zに変換する（ステップ１２）。
【００４９】
次に、ルーチング機能部６３は、ルーチング情報格納部６５（図８）を参照することにより、着番号が０５０-Aである呼接続信号の転送先が網間番号変換装置５であることを把握し、呼接続信号を網間番号変換装置５に転送する（ステップ１３）。  
呼接続信号を受信した網間番号変換装置５では、網間番号変換部５２が番号情報格納部５４（図３）を参照することにより、呼接続信号における着番号を０５０-Aからそれに対応する携帯電話番号である０９０-Aに変換する（ステップ１４）。
【００５０】
そして、網間番号変換装置５におけるルーチング機能部５３は、ルーチング情報格納部５５（図４）を参照することにより、呼接続信号を０９０-Aの携帯電話事業者に対応するゲートウェイ装置３に転送する（ステップ１５）。ゲートウェイ装置３は当該呼接続信号を携帯電話網１に発出し、携帯電話網１では交換装置４を介して呼接続信号が携帯電話機Aに届き（ステップ１６）、携帯電話機Aが鳴動することにより利用者の呼び出しがなされる。そして、利用者が携帯電話機Aをオフフックすることにより、応答が返され（ステップ１７）、携帯電話機AとIP電話端末Z間での通話が開始される（ステップ１８）。
【００５１】
＜携帯電話機Aから別の携帯電話機Bに接続する場合の動作＞
次に、携帯電話機Aから携帯電話機Bに接続する場合の動作について図１１のシーケンスチャートを参照して説明する。携帯電話機Aと携帯電話機Bは同じ携帯電話事業者のものでもよいし異なる携帯電話事業者のものでもどちらでもよいが、以下では、携帯電話機Aと携帯電話機Bは異なる携帯電話事業者のものであるとし、それぞれ携帯電話事業者A、携帯電話事業者Bのものであるとする。また、携帯電話事業者Aに対応するゲートウェイ装置、携帯電話網をそれぞれゲートウェイ装置３A、携帯電話網１Aと表記する。携帯電話事業者Bについても同様である。
【００５２】
番号が０９０-Aである携帯電話機Aにおいて着番号として内線番号Bがダイヤルされることにより、発番号として０９０-Aを含み着番号として内線番号Bを含む呼接続信号が携帯電話機Aから発出される。呼接続信号は、携帯電話網１A内で転送されてゲートウェイ装置３Aに届く（ステップ２１）。ゲートウェイ装置３Aは、呼接続信号を網間番号変換装置５に転送する（ステップ２２）。
【００５３】
呼接続信号を受信した網間番号変換装置５では、網間番号変換部５２が番号情報格納部５４（図３）を参照することにより、呼接続信号における発番号を０９０-Aから０５０-Aに変換する（ステップ２３）。そして、ルーチング機能部５３がルーチング情報格納部５５（図４）を参照することにより、着番号として内線番号Bを持つ呼接続信号を呼制御装置６に転送する（ステップ２４）。
【００５４】
呼接続信号を受信した呼制御装置６では、内線番号変換部６２が内線番号情報格納部６４（図６）を参照することにより、呼接続信号の着番号を内線番号Bから０５０−Bに変換するとともに、発番号を０５０-Aから内線番号Aに変換する（ステップ２５）。
【００５５】
次に、ルーチング機能部６３は、ルーチング情報格納部６５（図８）を参照することにより、着番号が０５０-Bである呼接続信号の転送先が網間番号変換装置５であることを把握し、呼接続信号を網間番号変換装置５に転送する（ステップ２６）。  
呼接続信号を受信した網間番号変換装置５では、網間番号変換部５２が番号情報格納部５４（図３）を参照することにより、呼接続信号における着番号を０５０-Bからそれに対応する携帯電話番号である０９０-Bに変換する（ステップ２７）。
【００５６】
そして、網間番号変換装置５におけるルーチング機能部５３は、ルーチング情報格納部５５（図４）を参照することにより、呼接続信号を０９０-Bの携帯電話事業者Bに対応するゲートウェイ装置３Bに転送する（ステップ２８）。
【００５７】
ゲートウェイ装置３Bは当該呼接続信号を携帯電話網１Bに発出し、携帯電話網１Bでは交換装置４Bを介して呼接続信号が携帯電話機Bに届き（ステップ２９）、携帯電話機Bが鳴動することにより利用者の呼び出しがなされる。そして、利用者が携帯電話機Bをオフフックすることにより、応答が返され（ステップ３０）、携帯電話機Aと携帯電話機B間での通話が開始される（ステップ３１）。
【００５８】
図１１では、携帯電話機Bとゲートウェイ装置３Bとの間の音声通信路、ゲートウェイ装置３Aとゲートウェイ装置３Bとの間の音声通信路、及び携帯電話機Aとゲートウェイ装置３Aとの間の音声通信路が接続されて携帯電話機Aと携帯電話機B間での通話が行われる例が示されているが、携帯電話機Aと携帯電話機Bとの間の音声の経路はこれに限るわけではない。
【００５９】
以上説明したとおり、上記のシステムを採用することにより、異なる事業者の携帯電話機同士でも内線通話を利用することが可能になる。従って、異なる部署や同一の部署の中で複数の事業者の携帯電話機を利用することが可能となり、部署や個々人の利用用途に応じて携帯電話事業者を選択できることになり利便性が向上する。また、異なる携帯事業者間でも内線電話を利用できることにより、通話料が無料となり、利用者にとって費用逓減が図れる。
【００６０】
本発明は、上記の実施の形態に限定されることなく、特許請求の範囲内において、種々変更・応用が可能である。
【符号の説明】
【００６１】
１  携帯電話網
２  ＩＰ電話網
３  ゲートウェイ装置
４  交換装置
５  網間番号変換装置
６  呼制御装置
５１  信号送受信部
５２  網間番号変換部
５３  ルーチング機能部
５４  番号情報格納部
５５  ルーチング情報格納部
６１  信号送受信部
６２  内線番号変換部
６３  ルーチング機能部
６４  内線番号情報格納部
６５  ルーチング情報格納部
【図１】
2010183199.tif 000003
【図２】
2010183199.tif 000004
【図３】
2010183199.tif 000005
【図４】
2010183199.tif 000006
【図５】
2010183199.tif 000007
【図６】
2010183199.tif 000008
【図７】
2010183199.tif 000009
【図８】
2010183199.tif 000010
【図９】
2010183199.tif 000011
【図１０】
2010183199.tif 000012
【図１１】
2010183199.tif 000013